(57)【要約】【課題】電子機器を支持構造物から浮かした状態で設置する際に、前記電子機器に接続されているケーブルの露出を抑制することのできる電子機器支持装置を提供する。【解決手段】電子機器Ｄが装着される機器装着部１ａと、壁Ｗ等の支持構造物に固定されるベース部１ｂと、このベース部１ｂと前記機器装着部１ａとを連結する連結部１ｃとからなる電子機器支持装置１であって、前記ベース部１ｂに、前記電子機器Ｄに接続されたケーブルＣが挿通されて、このケーブルＣを前記支持構造物に沿うように案内するケーブル案内孔Ｇが形成されている構成となっている。【選択図】図１
0003208682.tif 000002
【実用新案登録請求の範囲】
【請求項１】
電子機器が装着される機器装着部と、壁等の支持構造物に固定されるベース部と、このベース部と前記機器装着部とを連結する連結部とからなる電子機器支持装置であって、前記ベース部に、前記電子機器に接続されたケーブルが挿通されて、このケーブルを前記支持構造物に沿うように案内するケーブル案内孔が形成されていることを特徴とする電子機器支持装置。
【請求項２】
前記ケーブル案内孔が、前記ベース部の、前記連結部が取り付けられた部位の近傍に形成されていることを特徴とする請求項１に記載の電子機器支持装置。
【請求項３】
前記ベース部が、前記支持構造物に固定され、前記連結部を支持するベースプレートと、このベースプレートを覆うカバーとからなり、前記ベースプレートと前記カバーの少なくとも一方に凹部が形成され、この凹部が前記ベースプレートと前記カバーによって囲繞されて前記ケーブル案内孔が形成されていることを特徴とする請求項１または請求項２に記載の電子機器支持装置。
【請求項４】
前記連結部が、前記ベース部および前記機器装着部に揺動可能に連結されたアームによって構成され、このアームに、前記ケーブルを、前記機器装着部と前記ベース部との間において保持するケーブルガイド部材が設けられていることを特徴とする請求項１ないし請求項３の何れかに記載の電子機器支持装置。
【考案の詳細な説明】
【技術分野】
【０００１】
本考案は、テレビやモニターといったディスプレイ、映像を投影するプロジェクター、あるいは、音声出力用のスピーカー等の電子機器を、壁等の固定構造物に固定する際に用いられる電子機器支持装置に関するものである。
【背景技術】
【０００２】
前述した電子機器、たとえば、前記ディスプレイでは、床に設置して使用することが一般的であるが、視認性や床のスペースの有効利用等の観点から、前記ディスプレイを壁等の支持構造物に固定して使用することも行なわれている。
【０００３】
そして、前記電子機器を前記支持構造物に直接固定すると、前記電子機器の向き等の調整ができないことから、連結部材を用いて、前記電子機器を前記支持構造物から離して固定し、この支持構造物と前記電子機器との間に、この電子機器の位置調整空間を確保することが行なわれている。
【０００４】
ところで、前記電子機器には、たとえば、電源コード（電源ケーブル）、音声や映像等を送る信号ケーブルといった種々のケーブルが接続されている。
【０００５】
これらのケーブルは、前記電子機器を前記支持構造物から離間した状態で設置した場合、前記支持構造物から離間した位置において、前記電子機器から下方へ垂れ下がった状態となる。
【０００６】
このように垂れ下がったケーブルは、室内の雰囲気を煩雑なものとすることから、この垂れ下がったケーブルを支持構造物に沿うように這わせて化粧部材等で覆うことも行なわれている。
【０００７】
しかしながら、このような方法によっても、前記電子機器と支持構造物との間において、前記ケーブルが露出してしまうことから、有効な解決手段とはなり得ていない。
【０００８】
このような不具合に対処可能な技術として、たとえば、特許文献１において、前記連結部材にガイド孔を設けて、このガイド孔内に前記ケーブルを挿通させることにより、前記電子機器と前記支持構造物間における前記ケーブルの露出を防止する技術が提案されている。
【先行技術文献】
【特許文献】
【０００９】
【特許文献１】特開２０００−３４７５８０号公報
【考案の概要】
【考案が解決しようとする課題】
【００１０】
しかしながら、前述した従来の技術においても、なお次のような改善すべき点が残されている。
【００１１】
すなわち、前記連結部材を前記支持構造物に固定するには、前記支持構造物にベース部材を固定し、このベース部材を介して前記連結部材を支持する必要がある。
【００１２】
したがって、前記ガイド孔から引き出された前記ケーブルは、前記ベース部材の表面を経て前記支持構造物表面に沿わせなければならず、前記ケーブルを完全に隠すことができない。
【００１３】
本考案は、前述した従来の技術において残されている問題点に鑑みてなされたもので、電子機器を支持構造物から浮かした状態で設置する際に、前記電子機器に接続されているケーブルの露出を抑制することのできる電子機器支持装置を提供することを解決すべき課題とする。
【課題を解決するための手段】
【００１４】
本考案の電子機器支持装置は、前述した課題を解決するために、電子機器が装着される機器装着部と、壁等の支持構造物に固定されるベース部と、このベース部と前記機器装着部とを連結する連結部とからなる電子機器支持装置であって、前記ベース部に、前記電子機器に接続されたケーブルが挿通されて、このケーブルを前記支持構造物に沿うように案内するケーブル案内孔が形成されていることを特徴としている。
【００１５】
このような構成とすることにより、前記電子機器に接続されているケーブルは、前記支持構造物に固定されたベース部に導かれ、このベース部に形成されている前記ケーブル案内孔を経て前記支持構造物表面に導かれる。
【００１６】
前記支持構造物表面に導かれた前記ケーブルは、化粧部材等によって覆われる。
ここで、前記化粧部材は、前記ベース部と同様に前記支持構造物表面に取り付けられることから、前記ベース部に接するように設置される。
【００１７】
したがって、前記ケーブルは、前記電子機器から下方へ垂れ下がることなく前記ベース部へ導かれた後、このベース部内を通って前記化粧部材へと導かれる。
この結果、前記ケーブルの露出を防止することができる。
【００１８】
前記ケーブル案内孔は、前記ベース部の、前記連結部が取り付けられた部位の近傍に形成されていることが好ましい。
このような構成とすることにより、前記ケーブルを前記連結部材の近くから前記ケーブル案内孔に導くことにより、前記ケーブルの露出を効果的に防止することができる。
【００１９】
前記ベース部を、前記支持構造物に固定され、前記連結部を支持するベースプレートと、このベースプレートを覆うカバーとによって構成し、前記ベースプレートと前記カバーの少なくとも一方に凹部を形成し、この凹部を前記ベースプレートと前記カバーによって囲繞することにより、前記ケーブル案内孔を形成することができる。
【００２０】
そして、前記連結部を、前記ベース部および前記機器装着部に揺動可能に連結されたアームによって構成し、このアームに、前記ケーブルを、前記機器装着部と前記ベース部との間において保持するケーブルガイド部材を設けることもできる。
【００２１】
このような構成とすることにより、前記ケーブルを前記アームに沿って保持することができ、前記ケーブルを前記電子機器の後方に隠して、その露出防止作用をさらに向上させることができる。
【考案の効果】
【００２２】
本考案の電子機器支持装置によれば、電子機器を支持構造物に浮かした状態で設置する際に、前記電子機器に接続されているケーブルの露出を極力防止して、設置後の外観を綺麗に整えることができる。
【図面の簡単な説明】
【００２３】
【図１】本考案の一実施形態を示す斜視図である。
【図２】本考案の一実施形態を示す要部の斜視図である。
【図３】本考案の一実施形態を示すもので、カバーの要部を裏面から見た斜視図である。
【図４】本考案の一実施形態を示すもので、ベースプレートの要部を示す斜視図である。
【考案を実施するための形態】
【００２４】
以下、本考案の一実施形態を図１ないし図４を参照して説明する。
図１において、符号１は、本実施形態に係わる電子機器支持装置を示す。
【００２５】
この電子機器支持装置１は、壁Ｗ等の支持構造物に電子機器Ｄを浮かした状態で支持するもので、前記電子機器Ｄが取り付けられる機器装着部１ａと、前記壁Ｗに固定されるベース部１ｂと、このベース部１ｂと前記機器装着部１ａとを連結する連結部１ｃとによって構成されている。
【００２６】
前記機器装着部１ａは、前記電子機器Ｄの裏面に固定される枠体２によって構成されており、この枠体２は、前記連結部１ｃが揺動可能に連結される一対の枢軸３を備えている。
【００２７】
前記ベース部１ｂは、前記壁Ｗに固着されるベースプレート４と、このベースプレート４の表面を覆って取り付けられるカバー５とからなり、前記ベースプレート４は、前記連結部１ｃが揺動可能に連結される一対の枢軸６を備えている。
【００２８】
また、前記ベースプレート４は、図４に示すように、中空状に形成されており、その上方の壁部で、前記一対の枢軸６間に位置する部位には、その内部空間を上方へ開放する凹部４ａが形成されている。
【００２９】
前記カバー５も、図３に示すように、前記ベースプレート４と同様に中空状に形成されており、その上方の壁部には、前記ベースプレート４に形成されている前記凹部４ａに対峙させられる凹部５ａが形成されている。
【００３０】
また、前記カバー５の下方の壁部には、前記上方の凹部５ａの下方に位置する凹部５ｂが形成されている。
【００３１】
そして、前記カバー５を前記ベースプレート４の表面に装着した状態において、これらの内部に空洞部が形成され、かつ、前記凹部４ａと前記凹部５ａが対峙されて上部開口が形成され、また、前記ベースプレート４の下方の壁部と前記カバー５の凹部５ｂとにより下部開口が形成される。
【００３２】
本実施形態においては、前記上部開口および下部開口と、前記前記カバー５を前記ベースプレート４間に形成される空洞部とによってケーブル案内孔Ｇが形成されている。
【００３３】
前記連結部１ｃは、枢軸７によって相互に揺動可能に連結された一組のアーム８・９を二組備えており、各組みの一方のアーム８は、前記ベースプレート４に設けられている前記一対の枢軸６にそれぞれに揺動可能に連結され、他方のアーム９は、前記機器装着部１ａの一対の枢軸３にそれぞれ揺動可能に連結されている。
【００３４】
このように連結される前記連結部１ｃ、前記機器装着部１ａ、および、前記ベース部１ｂが、パンタグラフを構成して、前記壁Ｗに対して前記電子機器Ｄが、平行移動、および、接近離間する方向への移動が可能となされている。
【００３５】
さらに、本実施形態においては、前記一方のアーム８のそれぞれには、そのアーム８の長さ方向に沿ったガイド溝を備えたケーブルガイド部材１０が装着されている。
【００３６】
このように構成された本実施形態の電子機器支持装置１は、前記ベースプレート４を前記壁Ｗに固着した後に、このベースプレート４に前記カバー５を装着し、さらに、前記ベースプレート４から延びる連結部１ｃによって支持された機器装着部１ａに前記電子機器Ｄを装着することによって、この電子機器Ｄを前記壁Ｗに設置することができる。
【００３７】
ついで、前記電子機器Ｄに接続されているケーブルＣを、前記ケーブルガイド部材１０を経て、図２に示すように、前記ケーブル案内孔Ｇへその上方から挿入するとともに下方から引き出すように引き回す。
【００３８】
このような前記ケーブルＣの引き回しにより、このケーブルＣは、前記連結部１ｃに沿わされ、かつ、前記ベース部１ｂ内を通ってこの連結部１ｃの下部から前記壁Ｗの表面へと導かれる。
【００３９】
このように、前記ベース部１ｂの下部から引き出された前記ケーブルＣは、図１に示すように、前記壁Ｗに取り付けられる化粧部材１１によって覆われる。
【００４０】
したがって、前記ケーブルＣは、前記ベース部１ｂの前方において前記電子機器Ｄの後方に隠され、かつ、前記ベース部１ｂによって覆われた状態で、その下方の化粧部材１１へと引き回される。
【００４１】
この結果、前記ケーブルＣの殆どが、前記電子機器支持装置１によって隠された状態に保持され、前記電子機器Ｄの設置空間の美観を整えることができる。
【００４２】
なお、前記実施形態において示した各構成部材の諸形状や寸法等は一例であって設計要求等に基づき種々変更可能である。
【符号の説明】
【００４３】
１  電子機器支持装置
１ａ  機器装着部
１ｂ  ベース部
１ｃ  連結部
２  枠体
３  枢軸
４  ベースプレート
４ａ  凹部
５  カバー
５ａ  凹部
５ｂ  凹部
６  枢軸
７  枢軸
８  アーム
９アーム
１０  ケーブルガイド部材
Ｃ  ケーブル
Ｄ  電子機器
Ｇ  ケーブル案内孔
Ｗ  壁
【図１】
0003208682.tif 000003
【図２】
0003208682.tif 000004
【図３】
0003208682.tif 000005
【図４】
0003208682.tif 000006